(57)【要約】【課題】  コロコロで掃除をすると掃除して汚れた粘着テープを手でちぎって捨てていて、衛生的に良くなく、ちぎる行為が面倒でうまくちぎれずに綺麗な粘着面まで捨てるなど無駄があった。  本発明は粘着テープをちぎる必要のない巻き取り式コロコロ掃除器を提供する。【解決手段】  ローラーの柄を動かすよことによってローラーと粘着ロールが回り、粘着テープが歯車とロール芯巻き取り部の回転によって巻き取りロール芯に巻き取られる。  粘着テープ使用後は巻き取りロール芯を捨て、粘着ロールの芯を巻き取りロール芯として使用し、ローラーに新しい粘着ロールを装着し、ローラ突き出し窓から出して粘着テープの巻き取り芯専用粘着面を巻き取りロール芯に貼り再び使用する。【選択図】図２
2015167850.tif 000002
【特許請求の範囲】
【請求項１】
略長方形のケースおよび、略長方形のケースおよび、ローラー突き出し窓、操作軸はめ込み部、ローラー、粘着ロール、ローラー操作軸、車輪、歯車ａ、シャフト、シャフトはめ込み口、歯車ｂ、歯車ｃ、ロール芯巻き取り部、巻取りロール芯支え部、巻き取りロール芯、巻き取り芯装着用粘着面、開閉フタ、フタ固定、操作穴、から成るもので、略長方形のケースを設け、ケース内底面部の前部に、ローラー突き出し窓を設け、ローラー付き出し窓の右底面に操作軸はめ込み部を設け、ローラーに装着した粘着ロールを、ローラー突き出し窓に設け、ローラー操作軸を操作軸はめ込み部に設け、ケース後部の底に車輪を設け、ケースのに設け、歯車ａに２つのシャフトを設け、ローラーにはシャフトが入るシャフトはめ込み口を２つ設け、歯車ｂを歯車ａの後部に設け、歯車ｃを歯車ｂの後部に設け、歯車ｃに円形のロール芯巻き取り部を設け、底面から数センチ高さを設けたバネのついた巻取りロール芯支え部を操作軸はめ込み部と車輪の中間にバネが歯車ｃと向き合うように設け、巻き取りロール芯を歯車ｃと巻取りロール芯支え部の間に設け、粘着ロールの粘着面先端部分に巻き取り芯装着用粘着面を設け、ケースの上面部に歯車ｂの位置から切り込みを入れる形で２つに分かれた開閉フタを設け、ケースの側面上部の角にはフタ固定部を設け、操作軸はめ込み部の真上のケース上面に略長方形の操作穴を設けるのであるが、巻き取りおよびそれに関する構造の配置が逆で、ケースが略正方形であっても同じ効果が得られる事も特徴とした巻き取り式コロコロ掃除器。
【発明の詳細な説明】
【技術分野】
【０００１】  本発明は、コロコロ掃除器に関するものである。
【背景技術】
【０００２】  従来、コロコロで掃除する時は、掃除して汚れた紙をちぎって捨てて、また新しい粘着面でコロコロして掃除を行っていた。
【発明の概要】
【発明が解決しようとする課題】
【０００３】  コロコロで掃除をすると掃除して汚れた紙を手でちぎって捨てていて衛生的に良くなかった。
またちぎる行為が面倒で、うまくちぎれず綺麗な粘着面まで捨てるなど無駄があった。
【課題を解決するための手段】
【０００４】  略長方形のケースおよび、略長方形のケースおよび、ローラー突き出し窓、操作軸はめ込み部、ローラー、粘着ロール、ローラー操作軸、車輪、歯車ａ、シャフト、シャフトはめ込み口、歯車ｂ、歯車ｃ、ロール芯巻き取り部、巻取りロール芯支え部、巻き取りロール芯、巻き取り芯装着用粘着面、開閉フタ、フタ固定、操作穴、から成るもので、略長方形のケースを設け、ケース内底面部の前部に、ローラー突き出し窓を設け、ローラー付き出し窓の右底面に操作軸はめ込み部を設け、ローラーに装着した粘着ロールを、ローラー突き出し窓に設け、ローラー操作軸を操作軸はめ込み部に設け、ケース後部の底に車輪を設け、ケースのに設け、歯車ａに２つのシャフトを設け、ローラーにはシャフトが入るシャフトはめ込み口を２つ設け、歯車ｂを歯車ａの後部に設け、歯車ｃを歯車ｂの後部に設け、歯車ｃに円形のロール芯巻き取り部を設け、底面から数センチ高さを設けたバネのついた巻取りロール芯支え部を操作軸はめ込み部と車輪の中間にバネが歯車ｃと向き合うように設け、巻き取りロール芯を歯車ｃと巻取りロール芯支え部の間に設け、粘着ロールの粘着面先端部分に巻き取り芯装着用粘着面を設け、ケースの上面部に歯車ｂの位置から切り込みを入れる形で２つに分かれた開閉フタを設け、ケースの側面上部の角にはフタ固定部を設け、操作軸はめ込み部の真上のケース上面に略長方形の操作穴を設ける。
なお巻き取りおよびそれに関する構造の配置が左右逆で、ケースが略正方形であっても同じ効果が得られる。
以上の事を特徴とした巻き取り式コロコロ掃除器。
【発明の効果】
【０００５】  従来不可能であった、紙をちぎらないでコロコロを継続的にかける事が可能となり、紙をちぎらない事により、汚れた紙を触る事がないので衛生的にも良い。
また紙をちぎる面倒がないのでスムーズに掃除が行える。
従来とは違いゴミがかさばることはなく、一回で捨てられる。
コロコロをスムーズにかけられる事により、楽しく掃除ができ、おもちゃ感覚で子供の掃除への意欲が増す。
【図面の簡単な説明】
【０００６】
【図１】本発明における粘着ロール部分がケースの底面外に突き出ている状態を示す正面図
【図２】本発明におけるケースフタを外した状態を示す平面図
【図３】本発明の一部であるローラーにおいて、シャフトはめ込み口とローラー操作軸の特徴を示す拡大側図
【図４】本発明においてローラー、粘着ロール、巻き取り芯を取り外した状態を示す断面図
【発明を実施するための形態】
【０００７】  以下本発明の実施の形を説明する。
略長方形のケースおよび、ローラー突き出し窓（１）、操作軸はめ込み部（２）、ローラー（３）、粘着ロール（４）、ローラー操作軸（５）、車輪（６）、歯車ａ（７）、シャフト（８）、シャフトはめ込み口（９）、歯車ｂ（１０）、歯車ｃ（１１）、ロール芯巻き取り部（１２）、巻取りロール芯支え部（１３）、巻き取りロール芯（１４）、巻き取り芯装着用粘着面（１５）、開閉フタ（１６）、フタ固定（１７）、操作穴（１８）、から成るもので、略長方形のケースを設け、ケース内底面部の前部に、ローラー突き出し窓（１）を設け、ローラー付き出し窓（１）の右底面に操作軸はめ込み部（２）を設け、ローラー（３）に装着した粘着ロール（４）を、ローラー突き出し窓に（１）設け、ローラー操作軸（５）を操作軸はめ込み部（２）に設け、ケース後部の底に車輪（６）を設け、ケースの左側面に３つの歯車が相互に噛み合うような配置で設け、歯車ａ（７）をローラー突き出し窓の左側面に設け、歯車ａ（７）に２つのシャフト（８）を設け、ローラー（３）にはシャフト（８）が入るシャフトはめ込み口（９）を２つ設け、歯車ｂ（１０）を歯車ａ（７）の後部に設け、歯車ｃ（１１）を歯車ｂ（１０）の後部に設け、歯車ｃ（１１）に円形のロール芯巻き取り部（１２）を設け、底面から数センチ高さを設けたバネのついた巻取りロール芯支え部（１３）を操作軸はめ込み部（２）と車輪（６）の中間にバネが歯車ｃ（１１）と向き合うように設け、巻き取りロール芯（１４）を歯車ｃ（１１）と巻取りロール芯支え部（１３）の間に設け、粘着ロール（４）の粘着面先端部分に巻き取り芯装着用粘着面（１５）を設け、ケースの上面部に歯車ｂ（１０）の位置から切り込みを入れる形で２つに分かれた開閉フタ（１６）を設け、ケースの側面上部の角にはフタ固定部（１７）を設け、操作軸はめ込み部（２）の真上のケース上面に略長方形の操作穴（１８）を設ける。
なお巻き取りおよびそれに関する構造の配置が左右逆で、ケースが略正方形であっても同じ効果が得られる。
以上の構成により巻き取り式コロコロ掃除器。
本発明を使用するときは、操作軸はめ込み部（２）に固定され、操作穴（１８）から出たローラー操作軸（５）の柄を持ち、動かすと車輪（６）によりケースごと動き、ローラー突き出し窓（１）から下に出たローラー（３）が回り、ローラー（３）に装着した粘着ロール（４）も回ってゴミを取る。
ローラー（３）のシャフトはめ込み口（９）に歯車ａ（７）のシャフト（８）を装着したことにより、ローラー（３）が回ると歯車ａ（７）が連動して回る。
歯車ａ（７）が回ると噛み合って配置した歯車ｂ（１０）と歯車ｃ（１１）も回り、歯車ｃ（１１）のロール芯巻き取り部（１２）が回り、ロール芯巻き取り部（１２）によって連結し、巻き取りロール芯支え部（１３）によって支えらされ、粘着ロール（４）の巻き取り芯装着用粘着面（１５）が貼り付けられた巻き取りロール芯（１４）が回り、粘着ロール（４）から出た使用済み粘着テープが、巻き取りロール芯（１４）により巻き取られていくのである。
粘着ロール（４）を全て使い切ったら開閉フタ（１６）を開け、操作軸はめ込み部（２）からロ−ラー操作軸（５）を抜き、歯車ａ（７）の２つのシャフト（８）をつまみ、シャフトはめ込み口（９）からシャフト（８）を抜いて粘着ロール（４）の芯をローラー（３）から抜き取り、歯車ｃ（１１）のロール芯巻き取り部（１２）から巻き取りロール芯（１４）を抜き、巻き取りロール芯支え部（１３）のバネを曲げて巻取りロール芯（１４）を取り、ローラー（３）から抜き取った粘着ロール（４）の芯を巻き取りロール芯支え部（１３）のバネに装着し、左にずらしてロール芯巻き取り部（１２）に装着し、ローラー（３）に新しく粘着ロール（４）を装着して歯車ａ（７）のシャフト（８）をつまみ、シャフトはめ込み口（９）に装着し、粘着ロール（４）の巻き取り芯装着用粘着面（１５）を巻き取りロール芯（１４）に装着し、ローラー操作軸（５）を操作軸はめ込み部（２）にはめ込み、フタ固定部（１７）により固定された開閉フタ（１６）を開け、開閉フタ（１６）を閉じて操作穴（１８）から出たローラー操作軸（５）の柄を持ち再び掃除する。
【符号の説明】
【０００８】  １ローラー突き出し窓、２操作軸はめ込み部、３ローラー、４粘着ロール、５ローラー操作軸、６車輪、７歯車ａ、８シャフト、９シャフトはめ込み口  １０歯車ｂ、１１歯車ｃ、１２ロール芯巻き取り部、１３巻取りロール芯支え部、１４巻き取りロール芯、１５巻き取り芯装着用粘着面、１６開閉フタ、１７フタ固定、１８操作穴、
【図１】
2015167850.tif 000003
【図２】
2015167850.tif 000004
【図３】
2015167850.tif 000005
【図４】
2015167850.tif 000006